(57)【要約】【課題】  部品点数や組立工数を低減することができること。【解決手段】  接続対象物４１を離脱させるイジェクトレバー３１を有し、該イジェクトレバー３１は前記接続対象物４１の被ロック部４３に係合してロックするロック部３５と、前記接続対象物４１を離脱させる排出部３６とを一体に有し、前記イジェクトレバー３１が前記接続対象物４１と接続する位置と前記接続対象物４１を離脱させる位置との間で回転軸３３により保持されており、前記インシュレータ２１には前記イジェクトレバー３１が前記接続対象物４１を離脱させる位置に前記イジェクトレバー３１を仮保持する被係止部２９が設けられている。【選択図】図１
2006004790.tif 000002
【特許請求の範囲】
【請求項１】
導電性のコンタクトと、該コンタクトを保持したインシュレータと、接続対象物を前記コンタクトに接続した状態から該接続対象物を前記コンタクトから離脱させるイジェクトレバーとを含むコネクタにおいて、
前記イジェクトレバーは該イジェクトレバーを回転操作する操作部と、前記接続対象物の被ロック部に係合してロックするロック部と、前記接続対象物に当接し前記接続対象物を離脱させる排出部とを一体に有し、さらに前記イジェクトレバーは前記接続対象物と接続する位置と前記接続対象物を離脱させる位置との間で回転軸により回動自在になすように前記インシュレータに保持されており、前記インシュレータには前記イジェクトレバーが前記接続対象物を離脱させる位置で前記イジェクトレバーを仮保持する被係止部を設けたことを特徴とするコネクタ。
【請求項２】
請求項１記載のコネクタにおいて、前記イジェクトレバーは、前記接続対象物を接続する位置と前記接続対象物を離脱させる位置との間で、常時、前記接続対象物を狭持する狭持部をさらに有していることを特徴とするコネクタ。
【発明の詳細な説明】
【技術分野】
【０００１】
本発明は、一方の接続対象物を挿抜可能にしてロックし、一方の接続対象物と他方の接続対象物との間を接続するコネクタに関するものである。
【背景技術】
【０００２】
従来のコネクタとしては、接続対象物であるカードの端部を受け入れるカード接続孔を有するインシュレータと、カード接続孔の端部においてインシュレータに枢支された回動式レバーと、回動式レバーの近傍においてインシュレータにカード挿抜方向でスライド可能に装着されたスライダとを備えているカードエッジコネクタがある（例えば、特許文献１を参照）。
【０００３】
【特許文献１】特開平７−２３０８４９号公報
【発明の開示】
【発明が解決しようとする課題】
【０００４】
特許文献１におけるカードエッジコネクタでは、ロックを解除した状態で、インシュレータのカード接続孔にカードを挿入する際に、回動式レバーとカードとが干渉してしまう恐れがある。
【０００５】
また、特許文献１におけるカードエッジコネクタでは、特許文献１におけるカードエッジコネクタでは、カードをインシュレータからイジェクト（排出）する際に、回動式レバーのスライダ押圧部によってカードを押し上げる勢いによって、カードがインシュレータから飛び出してしまうという問題がある。
【０００６】
また、特許文献１におけるカードエッジコネクタでは、カードの接続状態をロックするロック機構及びカードをイジェクトするイジェクト機構として、インシュレータ、回動式レバー、およびスライダを必要とするため、多くの部品点数や組立工数を必要とするという問題がある。
【０００７】
それ故に、本発明の課題は、コンタクトとカードとの摩擦力以上の保持力を持たせることができるコネクタを提供することにある。
【０００８】
また、本発明の他の課題は、部品点数や組立工数を低減することができるコネクタを提供することにある。
【０００９】
また、本発明の他の課題は、接続対象物をインシュレータに挿入するための挿入力を低減させることができるコネクタを提供することにある。
【００１０】
さらに、本発明の他の課題は、イジェクト時に接続対象物が飛び出すことがないコネクタを提供することにある。
【課題を解決するための手段】
【００１１】
本発明は、導電性のコンタクトと、該コンタクトを保持したインシュレータと、接続対象物を前記コンタクトに接続した状態から該接続対象物を前記コンタクトから離脱させるイジェクトレバーとを含むコネクタにおいて、前記イジェクトレバーは該イジェクトレバーを回転操作する操作部と、前記接続対象物の被ロック部に係合してロックするロック部と、前記接続対象物に当接し前記接続対象物を離脱させる排出部とを一体に有し、さらに前記イジェクトレバーは前記接続対象物と接続する位置と前記接続対象物を離脱させる位置との間で回転軸により回動自在になすように前記インシュレータに保持されており、前記インシュレータには前記イジェクトレバーが前記接続対象物を離脱させる位置で前記イジェクトレバーを仮保持する被係止部を設けたことを特徴とするコネクタであることを最も主要な特徴とする。
【発明の効果】
【００１２】
本発明のコネクタによれば、イジェクトレバーが接続対象物を離脱させる位置にイジェクトレバーを仮保持するためにインシュレータに被係止部を設けてあり、接続対象物をインシュレータに挿入する時にロック部が開いているので接続対象物をインシュレータに挿入する時のロックと接続対象物との干渉量を減らし挿入力を低減させることができる。
【００１３】
本発明のコネクタによれば、本発明のコネクタでは、イジェクトレバーに飛び出し防止用の狭持部を設けたので、被係止部の弾性力によってイジェクトする時に接続対象物を挟み込むことでイジェクト時の接続対象物の飛び出しを防止することができる。
【００１４】
また、本発明のコネクタは、保持構造を向上させるためにイジェクトレバーにロック部を設けることによって、コンタクトとカードとの摩擦力以上の保持力を持たせることができるという利点がある。
【００１５】
さらに、イジェクトレバーとインシュレータとによってロックする構成となっているので、その他、ロックのための別部品を必要としないことから、部品点数や組立工数を低減することができる。
【発明を実施するための最良の形態】
【００１６】
本発明のコネクタは、導電性のコンタクトと、該コンタクトを保持したインシュレータと、接続対象物を前記コンタクトに接続した状態から該接続対象物を前記コンタクトから離脱させるイジェクトレバーとを含むコネクタにおいて、前記イジェクトレバーは該イジェクトレバーを回転操作する操作部と、前記接続対象物の被ロック部に係合してロックするロック部と、前記接続対象物に当接し前記接続対象物を離脱させる排出部とを一体に有し、さらに前記イジェクトレバーは前記接続対象物と接続する位置と前記接続対象物を離脱させる位置との間で回転軸により回動自在になすように前記インシュレータに保持されており、前記インシュレータには前記イジェクトレバーが前記接続対象物を離脱させる位置で前記イジェクトレバーを仮保持する被係止部を設けたことにより実現した。
【実施例１】
【００１７】
以下、図面を参照して、本発明に係るコネクタの実施例１を説明する。図１は、接続対象物がコネクタにロックされている状態を示している。図２は、接続対象物とコネクタとのロックが解除されている状態を示している。図３は、図１及び図２に示したイジェクトレバーを拡大して示している。なお、以下の説明では、接続対象物としてＩＣカードのようなカードを用いたカードエッジコネクタを実施例として説明する。
【００１８】
図１乃至図３を参照して、コネクタは、複数の導電性コンタクト１１と、コンタクト１１が保持されているインシュレータ２１と、インシュレータ２１に取り付けられているイジェクトレバー３１とを備えている。
【００１９】
コンタクト１１は、インシュレータ２１に保持されている保持部１１ａと、保持部１１ａの一端側から延びている接触バネ部１１ｂと、保持部１１ａの他端からインシュレータ２１の外へ延びている端子部１１ｃとを有している。
【００２０】
コンタクト１１の接触バネ部１１ｂには、カード４１を接続した状態でカード４１に設けられている導電部（図示せず）が接続される。イジェクトレバー３１は、カード４１をコンタクト１１に接続した状態でカード４１をロックし、カード４１をコンタクト１１に接続した状態からカード４１をコンタクト１１から離脱させる役目を果たすものである。
【００２１】
インシュレータ２１は、図４乃至図６にも示すように、一方向に長い略板形状のベース部２３と、ベース部２３の両側で一方向を直交する方向に形成されているレバー保持部２４とを有している。レバー保持部２４には、イジェクトレバー３１が取り付けられている。
【００２２】
なお、図１、図２及び図４においては、一方側のレバー保持部２４のみを示しているが他方側にも一方側のレバー保持部２４と対称にレバー保持部２４が形成されており、他方側のレバー保持部２４にもイジェクトレバー３１が取り付けられている。
【００２３】
ベース部２３内には、コンタクト１１の保持部１１ａが保持されている。ベース部２３の内部の空間であるコンタクト収容部２５には、保持部１１ａとともに接触バネ部１１ｂが位置している。端子部１１ｃはベース部２３の下側から外へ延びている。端子部１１ｃは、接続対象物としてのプリント配線基板のような基板（図示せず）に半田付けなどによって接続される。
【００２４】
図５及び図６において示したように、ベース部２３には、ベース部２３の上面から一方向を直交する方向で下方向へカード４１の先端部分を挿抜可能に収容するためのカード収容部２６（図５を参照）が形成されている。カード収容部２６は、コンタクト収容部２５に連通しており、接触バネ部１１ｂの自由端側の接点部１１ｄが位置している。接点部１１ｄには、カード４１がカード収容部２６に挿入された状態でカード４１の導電部に接触バネ部１１ｂのバネ力によって接触する。
【００２５】
さらに、レバー保持部２４には、カード収容部２６へカード４１をガイドしながら挿入できるように一対のガイド壁部２８が形成されている。ガイド壁部２８はベース部２３の上面よりも一方向を直交する方向で高い位置に立設されている。
【００２６】
イジェクトレバー３１は、インシュレータ２１に保持されるように設けた回転軸３３と、イジェクトレバー３１自身を回転操作するための操作部３４と、カード４１に係合してロックする一対のロック部３５と、カード４１に当接しカード４１を離脱させる一対の排出部３６と、ロック部３５及び排出部３６間に位置している一対の狭持部３７とを一体に有している。
【００２７】
なお、図３に示したイジェクトレバー３１においては、ロック部３５及び排出部３６間に位置している狭持部３７を持たないイジェクトレバー３１を一例として示している。
【００２８】
回転軸３３は、インシュレータ２１のレバー保持部２４の壁部を貫通するように形成されている軸孔２４ａ（図４を参照）に係合されており、カード４１と接続する位置とカード４１を離脱させる位置との間でイジェクトレバー３１を回動自在になしている。ロック部３５は、カード４１に形成さている孔形状の被ロック部４３に係合してロックする突起部３５ａを有する。
【００２９】
狭持部３７は弾性を有する部分であり、イジェクトレバー３１は、カード４１と接続する位置とカード４１を離脱させる位置との間で、常時、カード４１を狭持し、カード４１の飛び出しを防止する。
【００３０】
さらに、インシュレータ２１には、図７に示すように、イジェクトレバー３１がカード４１を離脱させる位置にイジェクトレバー３１を仮保持する被係止部２９が形成されている。被係止部２９は、インシュレータ２１を樹脂成形によって壁形状部分を同時に形成することによって得られる。
【００３１】
図１に示したように、カード４１がコネクタに挿入されてロック部３５の突起部３５ａが孔形状に形成されている被ロック部４３に係合しロックされている状態では、イジェクトレバー３１がコンタクト１１とカード４１との摩擦力以上の保持力を持っている。
【００３２】
また、インシュレータ２１には仮保持用の被係止部２９を設けてあるので、カード４１を挿入する前はロック部３５が被係止部２９の壁に乗り上げロック部３５を開いておくことにより、挿入時のロックとカード４１との干渉量を減らし挿入力を低減させるようになっている。
【００３３】
さらに、イジェクトレバー３１の飛び出しを防止する狭持部３７は、イジェクトレバー３１によるイジェクト後も狭持部３７がカード４１を狭持して押さえることにより、カード４１の飛び出しを防止するようになっている。
【産業上の利用可能性】
【００３４】
本発明のコネクタは、ドーターボード（配線基板）をマザーボード（配線基板）に電気的に接続するコネクタの用途にも適用できる。
【図面の簡単な説明】
【００３５】
【図１】本発明に係るコネクタの実施例１を示しており、接続対象物がコネクタにロックされている状態を示した断面図である。
【図２】図１に示した接続対象物とコネクタとのロックが解除されている状態を示した断面図である。
【図３】図１及び図２に示したイジェクトレバーを拡大して示した斜視図である。
【図４】図１及び図２に示したコネクタの斜視図である。
【図５】図１に示したコネクタのV-V線断面図である。
【図６】図２に示したコネクタのVI-VI線断面図である。
【図７】図２に示したコネクタのVII-VII線断面図である。
【符号の説明】
【００３６】
１１    コンタクト
１１ａ    保持部
１１ｂ    接触バネ部
１１ｃ    端子部
２１    インシュレータ
２３    ベース部
２４    レバー保持部
２４ａ    軸孔
２５    コンタクト収容部
２６    カード収容部
２９    被係止部
３１    イジェクトレバー
３３    回転軸
３４    操作部
３５    ロック部
３５ａ    突起部
３６    排出部
３７    狭持部
４１    カード
４３    被ロック部
【図１】
2006004790.tif 000003
【図２】
2006004790.tif 000004
【図３】
2006004790.tif 000005
【図４】
2006004790.tif 000006
【図５】
2006004790.tif 000007
【図６】
2006004790.tif 000008
【図７】
2006004790.tif 000009